(57)【要約】  組立式個室１０は、所定の空間を囲む側壁３０と、側壁３０の上部に着脱自在に設けられた屋根２０とを含み、側壁３０および屋根２０は一対のプラスチックダンボールが組合されて構成されている。
2009084099.tif 000002
【特許請求の範囲】
【請求項１】
所定の空間を囲む側壁部と、
前記側壁部の上部に着脱自在に設けられた屋根部とを含み、
前記側壁部および屋根部は一対のプラスチックダンボールが組合されて構成されている、組立式個室。
【請求項２】
前記一対のプラスチックダンボールの間には発泡剤が注入されている、請求項１に記載の組立式個室。
【請求項３】
前記側壁部は複数の面で構成されている、請求項１に記載の組立式個室。
【請求項４】
前記側壁部は床面に接する部分において水平方向に延在する部分を有する、請求項１に記載の組立式個室。
【請求項５】
それぞれが、断面がＵ字状の受け部を有する一対の受入部材を、その閉じた部分を相互に弾性を有する接続部材で接続した接続具であって、
前記Ｕ字状の受け部は、受け部の中央部から、Ｕ字状の開いた側に延在する分離板と、
前記分離板の端部において、前記分離板の延在する方向に交わる両方向に突出する突出部を有している、接続具。
【請求項６】
前記受入部材の前記分離板で分離されたそれぞれの領域には、所定の厚さを有するプラスチックダンボールが折り曲げられて挿入され、
前記プラスチックダンボールの端部が前記突出部に係合する、請求項５に記載の接続具。
【請求項７】
それぞれが断面Ｕ字状の受け部を有する一対の受入部材と、
前記一対の受入部材をその閉じた部分で相互に接続する弾性を有する接続部材とを含み、
前記接続部材は前記受入部材に対して着脱自在である、接続具。
【請求項８】
前記Ｕ字状の受け部は、受け部の中央部から、Ｕ字状の開いた側に延在する分離板と、
前記分離板の端部において、前記分離板の延在する方向に交わる両方向に突出する突出部を有している、請求項７に記載の接続具。
【請求項９】
前記受入部材の前記分離板で分離されたそれぞれの領域には、所定の厚さを有するプラスチックダンボールが折り曲げられて挿入され、
前記プラスチックダンボールの端部が前記突出部に係合する、請求項８に記載の接続具。
【請求項１０】
所定の空間を囲む側壁部と、
前記側壁部の上部に着脱自在に設けられた屋根部とを含み、
前記側壁部は複数の壁板を含み、
前記複数の壁板は所定の接続具で相互に接続され、
前記接続具は、端部が前記接続具に容易に挿入可能なように加工された端部を有するプラスチックダンボールを相互に突き合わされた状態で接続する、組立式個室。
【請求項１１】
前記端部が面取りされたプラスチックダンボールは、プラスチックダンボールの端部に端部が面取りされた別のプラスチックダンボールを貼り付けて構成される、請求項１０に記載の組立式個室。
【請求項１２】
それぞれが、断面がＵ字状の受け部を有する一対の受入部材を、その閉じた部分を相互に弾性を有する接続部材で接続した接続具であって、
前記Ｕ字状の受け部は、対向する部分に相互に対向する側に突出した一対の突出部を有する、接続具
【請求項１３】
前記一対の突出部はいずれか一方の突出寸法が他方の突出寸法より小さい、請求項１２に記載の接続具。
【請求項１４】
前記一対の突出部は相互にずれた位置に設けられる、請求項１２に記載の接続具。
【請求項１５】
前記突出部は前記Ｕ字状の閉じた側において、前記Ｕ字状の対向する面に直交する方向に平坦面を有する、請求項１２に記載の接続具。
【発明の詳細な説明】
【技術分野】
【０００１】
この発明は、組立式個室および接続具に関し、特に、簡単に組立、分解できる組立式個室およびそれ用の接続具に関する。
【背景技術】
【０００２】
従来の組立式トイレボックスのような組立式個室が、たとえば、特開平１０−３３９０４６号公報に開示されている。特開平１０−３３９０４６号公報によれば、段ボール板に所定の折り目形成線を設け、これらの折り目形成線に従って段ボール板を折り曲げて、壁枠を形成し、それらをジョイント部材で接続して、箱体を組立可能に構成し、箱体の内部に便器を備えた組立式トイレボックスが開示されている。
【発明の開示】
【０００３】
従来の組立式トイレボックスのような組立式個室は上記のように構成されていた。素材の大部分を段ボールで構成し組立可能としたため、大量に保存が可能であるとともに、運搬も容易で軽量であるため、取り扱いやすいという利点があったが、紙製の段ボールで構成されていたため、雨天においては、テントの中に入れる必要があるという問題があった。また、健常者用の個室であれば、従来のようなものでも対処が可能であったが、たとえば、車椅子の使用者が使用するような、大きな個室の場合には、従来のような構成では対処できないという問題があった。
【０００４】
この発明は、上記のような問題を解消するためになされたもので、全天候において使用ができ、且つ、車椅子の使用者であっても利用可能な組立の容易な組立式の個室を提供することを目的とする。
この発明によれば、組立式個室は、所定の空間を囲む側壁部と、側壁部の上部に着脱自在に設けられた屋根部とを含み、側壁部および屋根部は一対のプラスチックダンボールが組合されて構成されている。
【０００５】
好ましくは、一対のプラスチックダンボールの間には発泡剤が注入されている。
【０００６】
また、側壁部は複数の面で構成されているのが好ましい。
【０００７】
さらに好ましくは、側壁部は床面に接する部分において水平方向に延在する部分を有する。
【０００８】
この発明の他の局面においては、接続具は、それぞれが、断面がＵ字状の受け部を有する一対の受入部材を、その閉じた部分を相互に弾性を有する接続部材で接続した接続具である。接続具は、Ｕ字状の受け部は、受け部の中央部から、Ｕ字状の開いた側に延在する分離板と、分離板の端部において、分離板の延在する方向に交わる両方向に突出する突出部を有している。
【０００９】
好ましくは、受入部材の分離板で分離されたそれぞれの領域には、所定の厚さを有するプラスチックダンボールが折り曲げられて挿入され、プラスチックダンボールの端部が突出部に係合する。
【００１０】
それぞれが断面Ｕ字状の受け部を有する一対の受入部材と、一対の受入部材をその閉じた部分で相互に接続する弾性を有する接続部材とを含み、接続部材は受入部材に対して着脱自在である。
【００１１】
好ましくは、Ｕ字状の受け部は、受け部の中央部から、Ｕ字状の開いた側に延在する分離板と、分離板の端部において、分離板の延在する方向に交わる両方向に突出する突出部を有している。
【００１２】
さらに好ましくは、受入部材の分離板で分離されたそれぞれの領域には、所定の厚さを有するプラスチックダンボールが折り曲げられて挿入され、プラスチックダンボールの端部が突出部に係合する。
【００１３】
この発明の他の局面によれば、組立式個室は、所定の空間を囲む側壁部と、側壁部の上部に着脱自在に設けられた屋根部とを含み、側壁部は複数の壁板を含み、複数の壁板は所定の接続具で相互に接続され、接続具は、端部が接続具に容易に挿入可能なように加工された端部を有するプラスチックダンボールを相互に突き合わされた状態で接続する。
【００１４】
好ましくは、加工された端部を有するプラスチックダンボールは、プラスチックダンボールの端部に別のプラスチックダンボールを貼り付けて構成される。
【００１５】
この発明のさらに他の局面においては、接続具は、それぞれが、断面がＵ字状の受け部を有する一対の受入部材を、その閉じた部分を相互に弾性を有する接続部材で接続した接続具である。Ｕ字状の受け部は、対向する部分に相互に対向する側に突出した一対の突出部を有する。この突出部の寸法は、同じであってもよいし、いずれか一方の突出寸法が他方の突出寸法より小さくてもよい。
【００１６】
好ましくは、一対の突出部は相互にずれた位置に設けられる。
【００１７】
さらに好ましくは、突出部はＵ字状の閉じた側において、Ｕ字状の対向する面に直交する方向に平坦面を有する。
【００１８】
組立式個室を構成する側壁部と側壁部の上部に着脱自在に設けられた屋根部とは、一対のプラスチックダンボールが組合されて構成されている。したがって、広い空間を確保しながら、軽量であり、且つ、十分な強度を有している。
【００１９】
その結果、全天候において使用ができ、且つ、車椅子の使用者であっても利用可能な組立の容易な組立式の個室を提供できる。
【図面の簡単な説明】
【００２０】
【図１Ａ】この発明の一実施の形態に係る組立式トイレの概観を示す図である。
【図１Ｂ】この発明の一実施の形態に係る組立式トイレの概観を示す図である。
【図２Ａ】組立式トイレを構成する壁部の構成を示す図である。
【図２Ｂ】組立式トイレを構成する壁部の構成を示す図である。
【図３Ａ】組立式トイレを構成する壁部等を接続する接続具を示す図である。
【図３Ｂ】組立式トイレを構成する壁部等を接続する接続具を示す図である。
【図４Ａ】接続具の変形例を示す図である。
【図４Ｂ】接続具の変形例を示す図である。
【図４Ｃ】接続具の変形例を示す図である。
【図５Ａ】ヒンジ部を示す図である。
【図５Ｂ】ヒンジ部を示す図である。
【図５Ｃ】ヒンジ部を示す図である。
【図６Ａ】戸当たり部を示す図である。
【図６Ｂ】戸当たり部を示す図である。
【図７Ａ】屋根部を示す図である。
【図７Ｂ】屋根部を示す図である。
【図８Ａ】屋根部の詳細を示す図である。
【図８Ｂ】屋根部の詳細を示す図である。
【図９Ａ】屋根部の詳細を示す図である。
【図９Ｂ】屋根部の詳細を示す図である。
【図９Ｃ】屋根部の詳細を示す図である。
【図１０】この発明の他の実施の形態に係る組立式トイレの接続部を示す図である。
【図１１Ａ】プラスチックダンボールの端部の加工方法を示す図である。
【図１１Ｂ】プラスチックダンボールの端部の加工方法を示す図である。
【図１１Ｃ】プラスチックダンボールの端部の加工方法を示す図である。
【図１２】プラスチックダンボールの端部を示す図である。
【図１３Ａ】プラスチックダンボールの端部とＵ字状部材とを示す図である。
【図１３Ｂ】プラスチックダンボールの端部とＵ字状部材とを示す図である。
【図１３Ｃ】プラスチックダンボールの端部とＵ字状部材とを示す図である。
【図１３Ｄ】プラスチックダンボールの端部を示す図である。
【図１３Ｅ】プラスチックダンボールの端部を示す図である。
【図１４Ａ】この発明の他の実施の形態に係る組立式トイレを示す図である。
【図１４Ｂ】この発明の他の実施の形態に係る組立式トイレを示す図である。
【図１５Ａ】接続具を示す図である。
【図１５Ｂ】接続具を示す図である。
【図１５Ｃ】接続具を示す図である。
【図１５Ｄ】接続具を示す図である。
【図１６Ａ】接続部材を示す図である。
【図１６Ｂ】接続部材を示す図である。
【図１７Ａ】ドア部のヒンジ部を示す図である。
【図１７Ｂ】ドア部のヒンジ部を示す図である。
【図１８Ａ】戸当たり部を示す図である。
【図１８Ｂ】戸当たり部を示す図である。
【図１９Ａ】接続具の他の例を示す図である。
【図１９Ｂ】接続具の他の例を示す図である。
【図１９Ｃ】接続具の他の例を示す図である。
【図１９Ｄ】接続具の他の例を示す図である。
【図２０Ａ】プラスチックダンボールの端部の他の例を示す図である。
【図２０Ｂ】プラスチックダンボールの端部の他の例を示す図である。
【発明を実施するための最良の形態】
【００２１】
（１）第１実施の形態
以下、この発明の一実施の形態に係る組立式個室を、車椅子の使用者が使用可能な組立式トイレに適用した例について図面を参照して説明する。図１Ａおよび１Ｂは、この発明の一実施の形態に係る組立式トイレ１０を示す図である。図１Ａは平面図であり、図１Ｂは図１ＡにおいてＢ−Ｂで示した正面図である。図１Ａおよび１Ｂを参照して、この実施の形態に係る組立式トイレ１０は、全体として頂部に突出部を有する正五角柱状であり、平面図が五角形の屋根部２０と、屋根部２０の下部に設けられた、ほぼ正五角形状を有する側壁部３０とを含む。屋根部２０は、中央部が最も高く、側壁部に向かって傾斜している。【００２２】
この組立式トイレ１０は、それぞれの部材がプラスチックダンボールで構成されている。寸法としては、全高が２０００ｍｍ、側壁部を構成する個々の壁部の幅が８００ｍｍ程度が好ましい。また、使用するプラスチックダンボールの厚さは約７ｍｍ程度が好ましい。また、組立て式トイレ１０の床面積としては、直径が１５００ｍｍ程度の円をカバーする程度が好ましい。なお、側壁部３０の一部には開閉可能なドア３５が設けられており、ドア３５には、閉じた状態でロックするためのロック部材４５が設けられている。【００２３】
次に、側壁部３０について説明する。図２Ａは側壁部３０の平面図であり、図２Ｂは図２Ａにおいて、矢印Ｂ−Ｂを示す部分の矢視図である。図２を参照して、側壁部３０は、同一形状の４枚の矩形状の壁部３１〜３４と、壁部３１,３４に接続されたドア支持部３６ａ，３６ｂと、ドア支持部３６ｂに接続されたドア部３５とを含む。ドア部３５と、ドア支持部３６ａ，３６ｂとを併せた幅寸法は、他の壁部３１〜３４の幅寸法に等しい。なお、ドア支持部３６ａ，３６ｂの高さ方向寸法は他の壁部３１〜３４とよりも短くなっており、組立て式トイレ１０を設置したときに、床面との間に隙間ができる。【００２４】
次に、矩形状の壁部３１と３２との接続部について説明する。図３Ａおよび図３Ｂは、図２Ａにおいて、丸で囲んだＩＩＩで示す部分の拡大図である。図３Ａは接続具４０を示し、図３Ｂは接続具４０に壁部３１，３２としてのプラスチックダンボール３１ａ，３１ｂ，３２ａ，３２ｂを取付けた状態を示す図である。図３Ａおよび図３Ｂを参照して、壁部３１と３２とは接続具４０で接続されている。接続具４０は、両端部に断面がＵ字状のＵ字状部材(Ｕ字状の受け部)４１,４２と、Ｕ字状部材４１,４２を接続する接続部材４３とを含む。なお、接続具４０は蝶番機能を有していてもよい。Ｕ字状部材４１,４２の各々は、Ｕ字状の外周部４１１と、外周部４１１の内部において、ほぼ中央にＵ字状の開口部側に向かって設けられた分離板４１２と、分離板４１２の先端部において、分離板４１２に交わる方向の両側に突出する止板（突出部）４１３とを含む。止板４１３とＵ字状の２つの外周部４１１との間にはそれぞれ隙間が設けられ、この隙間にプラスチックダンボールが挿入されて固定される。なお、分離板４１２で分離されたＵ字状の外周部４１１はそれぞれが小さな２つのＵ字状の部分４１１ａ，４１１ｂを形成する。【００２５】
図３Ｂは、接続具４０に壁部３１、３２を取付けた状態を示す図である。図３Ｂを参照して、それぞれが２枚のプラスチックダンボール３１ａ，３１ｂ，３２ａ，３２ｂで構成された壁部３１,３２を接続具４０に取付けるときは、２枚のプラスチックダンボールの先端部近傍で２つ折りし、その先端部が上記した止板４１３に当接し、折り曲げ部が小さなＵ字状の部分４１１ａ，４１１ｂの底に沿うように取付けられる。プラスチックダンボールは、先端部が止板４１３で、先端部近傍がＵ字状の外周部４１１と分離板４１２とで拘束されるため、一旦挿入されたプラスチックダンボールは、引き抜こうとしても容易には引き抜けない。また、側壁部を二重のプラスチックダンボールで構成したため、強度が上がる。【００２６】
ここでは、壁部３１と３２との接続部について説明したが、壁部３２と３３、３３と３４、３１とドア支持部３６ｂ、壁部３４とドア支持部３６ａも同様の接続具で接続される。【００２７】
なお、上記実施の形態においては、接続具を、両端部に断面がＵ字状部材４１,４２と、Ｕ字状部材４１,４２を接続する接続部材４３とが一体化された場合について説明したが、これに限らず、これらを複数の部材から構成してもよい。【００２８】
また、上記一対のプラスチックダンボールの間に形成される空間部分には発泡剤を注入してもよい。このようにすれば、壁部３１,３２等の強度を増すことができる。【００２９】
なお、この空間部には、発泡スチロールを挟み込み、接着して強度をあげるようにしてもよい。【００３０】
図４Ａから図４Ｃはこの場合の接続具５０を示す図である。図４Ａは接続具５０を組立てた状態を示し、図４ＢはＵ字状部材５１,５２を示す図であり、図４ＣはＵ字状部材５１,５２を接続する接続部材５３を示す図である。図４を参照して、それぞれのＵ字状部材５１,５２は図３のＵ字状部材４１とほぼ同様の形状を有しているが、さらに、Ｕ字状の閉じた部分に接続部材５３を挿入するための溝５１１と、溝に連続してその内部に設けられた溝５１１より大きい寸法を有する凹部５１２を含む。【００３１】
接続部材５３は、全体として十字状を有しており、一方向の両先端部は、溝５１１を介して接続部材を保持する凹部５１２に保持される扁平状の部分５３１ａ，５３１ｂを有している。なお扁平状の部分５３１ａ，５３１ｂの中心側には、Ｕ字状部の外面に沿うように設けられた突出部５３２ａ，５３２ｂが設けられている。一方向に交わる他方向の両端部には、断面が円形の部分５３２ａ，５３２ｂが設けられている。このように、複数の部材５１，５２，および、５３を組合わせて接続部材５０を構成できる。【００３２】
なお、このように、接続具４０を用いて壁部を接続するようにしたため、任意の枚数の壁部を接続した状態で保管することが可能になる。【００３３】
次に、ドア３５とドア支持部３６ａ，３６ｂとの接続具について説明する。ドア３５は図２Ａにおいて矢印Ａで示すように開閉される。そのために、ドア３５とドア支持部３６ｂとの接続具は２つの部材が平面をなすように接続される場合から１８０度折りたたまれた状態まで曲げられる必要がある。【００３４】
図５はこの接続具として使用するための部材を説明する図である。図５Ａはこの場合の接続具５５を示す図である。図５Ａを参照して、接続具５５は、図４Ａで説明した２つのＵ字状部材５１と５２とを接続部材５４で接続して構成される。図５Ｂは接続部材５４を示す図である。図５Ｂに示すように、接続部材５４は板５４１の中央部に上端部がＵ字状部材５１,５２に設けられた凹部５１２に係合可能な形状を有する突起５４２を有する２つの部材５４ａ，５４ｂが隣接して、接続部５４ｃで接続されている。接続部５４ｃは２つの部材５４ａ，５４ｂを任意の方向で接続可能な兆番である。【００３５】
図５Ｂはドア３５が閉じられたときの接続具５５の状態を示し、図５Ｃはドアが全開されたときの接続具５５の状態を示す。図５Ｂにおいて、Ｕ字状部材５１がドア３５を保持し、Ｕ字状部材５２がドア支持部３６ｂを保持する。なお、ここでは、プラスチックダンボールについては図示を省略している。【００３６】
次に、ドア３５とドア支持部３６ａとの接続部について説明する。図６Ａおよび図６Ｂは、この接続部を説明するための図である。ドア３５はドア支持部３６ａとは接続されておらず、ドア支持部３６ａに設けられた戸当りによって、ドア３５が閉じられたときにドア３５とドア支持部３６ａとが平面状になる。図６Ａは戸当り部材５６を示す図である。戸当り部材５６はドア３５を受けるように、ドア３５の端部に沿った形状を有する戸当り部５６１と、その反対側に設けられ、ドア支持部３６ａの先端部に沿った形状を有するドア支持部分５６２と、ドア支持部分５６２のほぼ中央に設けられ、Ｕ字状部材５１,５２に設けられた凹部５１２に係合可能な形状を有する突起５６３とを含む。【００３７】
図６Ｂは図６Ａに示した戸当り部材５６をＵ字状部材５１,５２に設けられた凹部５１２にさせて、戸当り部を構成した状態を示す図である。図中、Ｕ字状部材５１がドア３５側で、５２がドア支持部３６ａ側である。【００３８】
次に、屋根部２０について説明する。図７Ａおよび図７Ｂは屋根部２０の詳細を示す図である。図７Ａは平面図であり、図７Ｂは図７Ａにおいて矢印Ｂ−Ｂで示す矢視図である。図８は屋根部２０の拡大図Ａと図８Ａにおいて矢印Ｂ−Ｂで示す部分の断面図である。図７Ａ、図７Ｂ、図８Ａおよび図８Ｂを参照して、屋根部２０は、同一の台形状の５枚の屋根材２１〜２５がそれぞれの側部を隣接して組立てられたものと、台形の上底部に設けられたアクリル製の天井窓２６とを含む。【００３９】
それぞれの屋根材２１〜２５を構成する台形の部材は、プラスチックダンボールであり、台形の底辺および２つの側辺には、図２Ａおよび図２Ｂ等で説明した側壁と同様にＵ字状部材５１,５２が設けられてプラスチックダンボールの端部を保持している。以下、屋根材２１を例にあげて説明するが、他の屋根材も同様である。【００４０】
図８Ｂを参照して、屋根材２１は、２枚のプラスチックダンボール２１ａ，２１ｂがその端部をＵ字状部材５１で保持されて構成されている。図８Ａに示すように、屋根材２１の底辺の中央部には屋根材２１を壁部３４に接続するための接続部材２７が設けられている。接続部材２７は、図８Ａにその展開図を示すような形状であり、プラスチックダンボール２１ｂに接続された矩形状部分２７ａと、矩形状部分２７ａの両端部に設けられ、矩形状部分２７ａに対して垂直に折れ曲がったリブ２７ｂと、リブ２７ｂの先端部に設けられ、壁部側に突出する突出部２７ｃとを含む。リブ２７ｂの幅方向の中央部には凹部２７ｄが設けられている。矩形状部分２７ａは、屋根材２１に対して、その４隅に設けられたピン２８で固定されている。ピン２８はプラスチックダンボール２１ｂと矩形状部分２７ａとを一体化させる。【００４１】
壁部３４と屋根材２１との接続状態を図８Ｂに示す。接続部材２７が壁部と屋根材とを接続するときには、リブ２７ｂが９０度下方向に折り曲げられる。この状態で図８Ｂに示すように、リブ２７ｂの凹部２７ｄに壁部３４が挿入する。壁部３４の所定の位置には溝が設けられ、その溝に突出部２７ｃが挿入される。突出部２７ｃは矩形状でありその中央部に貫通孔が設けられている。この貫通孔は接続部材２７を取外すときに使用する。【００４２】
図８に示すように、壁部３４の上端を受ける凹部２７ｄが矩形状部分２７ａの端部から離れた位置に設けられているため、壁部３１を屋根材２１に取付けたとき、壁部３１と屋根材２１との間には隙間が設けられる。また、壁部の上端部にもＵ字状部材５１が設けられ、２枚のプラスチックダンボールを一体化している。【００４３】
次に、屋根材２１〜２５と天井窓２６との接続部について説明する。図９Ａから図９Ｃはこの接続部を示す図である。図９Ａは平面図であり、図９Ｂは図９Ａにおいて、矢印Ｂ−Ｂで示す断面図であり、図９Ｃは屋根材２１〜２５と天井窓２６とを接続する接続部材６０の展開図である。  図９Ｃを参照して、接続部材６０は、矩形状の板部６１と、板部６１の長手方向の両辺に接続されたリブ６２と、板部６１のリブ６２が接続される方向に直交する方向に延在する矩形状の屋根取付け部６３とを含む。リブ６２の幅方向の中央部には凹部６５が設けられる。屋根取付け部６３にはその４隅に屋根材２１〜２５と屋根取付け部６３とを一体化するためのピンを取り付け可能な貫通孔６４が設けられている。リブ６２および屋根取付け部６３は、板部６１に対して９０度の方向に折り曲げ可能である。【００４４】
図９Ａおよび９Ｂを参照して、天井窓２６は球面の一部を円形に切取った形状を有する頂部２６１と円形の頂部２６１の外周部から下方向に延在する側面部２６２とを有する。接続部材６０は板部６１が屋根取付け部６３が頂部２６１に当接し、板部６１が天井窓２６の中心部に向き、凹部６５で屋根材を構成する２枚のプラスチックダンボールを受けるように組立てられる。頂部２６１の所定の位置には、屋根取付け部６３の貫通孔と整合する所定の位置に貫通孔が設けられ、両側の貫通孔を通る図示のないピンによって両者は一体化され、屋根材２１〜２５は天井窓２６を支持する。【００４５】
なお、図９Ａにおいては、理解の容易のために、天井窓２６の頂部２６１は図示を省略している。また、屋根材を構成するプラスチックダンボールは透光性のあるものが好ましい。【００４６】
なお、この実施の形態に係る組立て式トイレ１０は基本的にプラスチックダンボールで構成されているため、外部からの風によって移動される可能性がないわけではない。そこで、その対策として次のようにしてもよい。すなわち、壁部３１〜３４を、図２等に示した高さよりも下方向に延長する延長部を設け、この延長部をトイレ１０の内側に延在させ、この延長部にブロック等の錘となる部材を載せる。このようにすれば、トイレが移動するようなことはない。なお、延長部と壁部とが区分される位置でプラスチックダンボールに切り込みを入れて、曲げやすくしておくのが好ましい。また、この延長部は、二重のプラスチックダンボールのうち、トイレの内部側のプラスチックダンボールのみに設けてもよいし、内部側と外部側とを交互に延長してもよいし、両側を延長してもよい。【００４７】
なお、上記実施の形態においては、側壁部を五角形とした場合について説明したが、これに限らず、四角形や六角形のような複数の面を有する構成としてもよいし、円筒状としてもよい。【００４８】
また、屋根部の形状を五枚の台形で構成したが、これに限らず、取り扱いが容易であれば、枚数を多くしてもよいし、少なくしてもよい。【００４９】
（２）第２実施の形態
次にこの発明の第２実施の形態について説明する。第１実施の形態においては、プラスチックダンボールを二重にして用いる場合について説明したが、この実施の形態においては、プラスチックダンボールは１枚とする。図１０はこの実施の形態におけるプラスチックダンボールの接続具７０を示す図であり、第１実施の形態における図３に示した接続具４０に対応する。【００５０】
図１０を参照して、接続具７０は、両端部に設けられるＵ字状部材７１と（図では一方のＵ字状部材を省略している）、Ｕ字状部材７１をその閉じた部分で接続する接続部材７２とを含む。それぞれのＵ字状部材７１はＵ字状部７１ａと、Ｕ字状部７１ａの開口端部において相互に対向する側へ突出した突出部７１ｂ，７１ｂとを含み、突出部７１ｂ，７１ｂ間に隙間が設けられ、この隙間に先端部が所定の形状になるように加工された１枚のプラスチックダンボール８０が挿入される。Ｕ字状部材７１はこの構成により、開口部７１ｃは狭く、内部にＵ字状の空間部を有する。【００５１】
次に、Ｕ字状の開口部７１ｃに挿入されるプラスチックダンボール８０について説明する。Ｕ字状の開口部７１ｃに挿入されるプラスチックダンボール８０の挿入側の先端部は１枚のプラスチックダンボールの端部において、一定の長さを有し、端部の両側に厚さが付加された部分が形成された形状である。また、その付加された部分の端部とは反対側の端はプラスチックダンボール８０の面に直交する端面を有している。このプラスチックダンボール８０の面に直交する端面がＵ字状部材７１の突出部７１ｂに係合する。【００５２】
次に、このプラスチックダンボール８０の端部の製造方法、すなわち、端部の加工方法について説明する。図１１Ａから１１Ｃはこの端部の加工方法を示す図である。図１１Ａは端部を形成するプラスチックダンボール８１を示す図である。図１１Ｂに示すように、プラスチックダンボール８１の端部８２からプラスチックダンボール８１を厚さ方向に３等分するように一定深さの切込み８３ａ，８３ｂを入れる。そして、切込み８３ａ，８３ｂで挟まれた部分８２ｃ（図１１Ｂにおいて斜線で示す部分）を削除する。その後、残った対向する突出部８２ａ，８２ｂをそれぞれ外側に折り曲げる（図１１Ｃ）。このようにして端部の両側に折り曲げられた部分を有する部分（上記の厚さが付加された部分に対応）を有するプラスチックダンボール８０を、Ｕ字状部材７１の開口部７１ｃに挿入することによって、図１０に示すようなプラスチックダンボール８０が挿入された接続具７０を生成する。この実施の形態においては、１枚のプラスチックダンボールのみを用いて端部に厚さの大きい部分を形成できる。【００５３】
次にこの実施の形態における他の例について説明する。図１２はこの実施の形態における接続具７０の開口部７１ｃに挿入されるプラスチックダンボール８０の端部の加工の他の例を示す図である。図１２を参照して、この実施の形態においては、プラスチックダンボール８０の端部８４の両側に、所定の長さを有し、プラスチックダンボール８０よりも薄い一定の厚さを有する他のプラスチックダンボール８５を取り付け、その端部８４側に面取り８５ａを形成している。このため、先の実施の形態と同様の端部が狭くなったプラスチックダンボールを提供できる。【００５４】
ここで、取付けられるプラスチックダンボール８５の面取りされていない側の端部がＵ字状部材７１の突出部７１ｂに係合する。【００５５】
この実施の形態においては、先端部に厚さの大きい部分を形成するために、別の薄いプラスチックダンボールを取付ける必要があるが、先の実施の形態に比べて端部の形成作業が簡単になる。【００５６】
次に、接続具および接続具で接続されるプラスチックダンボールとの接続方法の他の例について説明する。図１３Ａから１３Ｅはこの場合の実施の形態を示す図である。図１３Ａは接続具９０と接続具９０の有するＵ字状部材９１に接続されるプラスチックダンボール８６との接続状態を示す図である。ここでも、Ｕ字状部材９１は一方側のみを示している。【００５７】
図１３Ａを参照して、この実施の形態においては、プラスチックダンボール８６は１枚の板であり、端部に係合用の厚さの大きい部分を有しない。その代わりに、プラスチックダンボール８６の両面の端部に近い位置に凹部８８ａ、８８ｂが設けられており、この凹部８８ａ，８８ｂに係合するようにＵ字状部材に凸部９２ａ，９２ｂが形成されている。また、Ｕ字状部材９１の閉じた部分はプラスチックダンボール８６の端部と接するように平坦である。【００５８】
なお、この凹部８８ａ，８８ｂおよび凸部９２ａ，９２ｂはＵ字状部材９１の閉じた側はＵ字状部材９１の平坦部に平行となるように平坦であり、その反対側が傾斜しているのが好ましい。また、凹部８８ａ，８８ｂおよび凸部９２ａ，９２ｂの位置は相互に端部からずれているのが好ましい。また、凹部８８ａ，凸部９２ａの深さ、または、突出量は凹部８８ｂ、凸部９２ｂと異なるほうが好ましい。【００５９】
図１３Ｂはこの実施の形態におけるプラスチックダンボール８６に凹部８８ａを形成する方法を示す図である。図１３Ｂを参照して、先端部がＶ字状であり高温に加熱されたてこ等をプラスチックダンボール８６の凹部を形成する所定の位置に押し付けて、プラスチックダンボール８６の一方側の表面を変形させることによって凹部を形成する。【００６０】
次に、この実施の形態における変形例について説明する。図１３Ｃおよび１３Ｄは、変形例を示す図である。図１３ＣおよびＤを参照して、この実施の形態においては、Ｕ字状部材の全体的な形状は図１３Ａと同じであるが、凸部および凹部位置、や形状が異なっている。すなわち、この実施の形態においては、凸部および凹部はプラスチックダンボールの両面の相互に対向する位置において、同じ寸法の凸部および凹部が形成されている。また、ここでは凸部および凹部の形状は矩形状である。この凸部および凹部を先の実施の形態のように、奥側が平坦で、開口側に傾斜した形状としてもよい。【００６１】
図１３Ｅはプラスチックダンボール８６の端部の他の例を示す図である。図１３Ｅを参照して、プラスチックダンボール８６の端部は両端部が面取りされている。なお、この図では、凹部の図示を省略している。【００６２】
次に、組立て式トイレの他の例について説明する。図１４は組立て式トイレの他の例を示す平面図（図１４Ａ）と正面図（図１４Ｂ）を示す図であり、先の実施の形態における図１に対応する。図１４Ａおよび１４Ｂを参照して、この実施の形態における組立て式トイレ２００は、全体として頂部が突出した八角柱であり、基本的な構成は図１に示した先の実施の形態と同様である。【００６３】
すなわち、この実施の形態における組立て式トイレ２００は、それぞれが三角形（または台形）である、八枚の板が相互にその斜辺を隣接するように接続された８角形の屋根２０１と、屋根２０１を構成する八枚の三角形２０１ａ〜２０１ｈの底辺の下部に設けられた八枚の壁部２０２〜２０９とを含む。【００６４】
この実施の形態においても屋根にはその中央部に天井窓２６が設けられている。屋根、壁および天井窓の接続方法は、基本的に図１に示した先の実施の形態と同様である。【００６５】
なお、この実施の形態においては、壁の数が多いため、八枚の壁部を２分割し、４枚ずつの壁部を相互に接続具で接続するようにしてもよい。ここでは、壁２０２から２０５と２０６から２０９とがそれぞれ連続した壁部であるものとする。連続した壁部を構成するプラスチックダンボールは連続接続用の接続具で接続され、壁２０２と壁２０９のような分割される壁部は分離可能な接続具を用いて接続される。【００６６】
次にこの実施の形態における接続具について説明する。図１５Ａから１５Ｄはこの実施の形態における接続具を示す図である。図１５Ａは連続接続具１０１であり、図１５Ｂは分割接続具１１０である。連続接続具１０１はそれぞれが同一形状であるＵ字状部材１０２、１０３を接続部材１０４で接続したものである。それぞれのＵ字状部材１０２,１０３は内部に図１３Ａで示したような一枚のプラスチックダンボールを挟み込む。図１５Ａにおいては図１３ＣおよびＤに示した例に類似した構成を示しているが、ここではＵ字状部材１０２に設けられた凸部は１箇所である。【００６７】
図１５Ｂは分割接続具１１０を示す図である。分割接続具１１０は２つのＵ字状部材１１１,１１１（図１５Ｃ）をその閉じた部分で着脱自在の接続部材１１２（図１５Ｄ）で接続している。ここでは、Ｕ字状部材１１１はＵ字状部１１１ａと、Ｕ字状部１１１ａの反対側に設けられた逆Ｃ字状部１１１ｂとを含む。逆Ｃ字状部１１１ｂは開口部１１１ｃを有し、この開口部１１１ｃを介して着脱自在の接続部材１１２が接続される。逆Ｃ字状部材によって囲まれた領域は接続部材１１２を受け入れる接続部材保持部を構成する。接続部材１１２は相互に閉じた部分が接続された一対のＶ字状部１１２ａと、Ｖ字状部１１２ａを接続する接続部１１２ｂとを含む。【００６８】
図１６Ａおよび１６Ｂは図１５Ｄに示した接続部材の変形例を示す図である。図１５Ｄに示した接続部材１１２は一対のＵ字状部材を長手方向に接続するものであるが、図１６Ａおよび１６Ｂには、相互に９０度の角度をなすように３つのＵ字状部材を接続可能な接続部材１１３（図１６Ａ）と、４つのＵ字状部材を接続可能な接続部材１１４（図１６Ｂ）とを示している。なお、Ｕ字状部材間のなす角度は９０度に限らず、任意の角度にできる。【００６９】
次に、ドア部に使用する接続具について説明する。図１７Ａおよび１７Ｂはドア部に使用する接続具を示す図であり、先の実施の形態における図５に対応する。【００７０】
図１７Ａはドア部の接続部材１５０を用いてドアを開いた状態を示す図であり、図５Ｂに対応する。図１７Ｂはドア部の接続部材１５０を用いてドアを閉じた状態を示す図であり、図５Ａに対応する。図１７を参照して、ドア部の接続部材１５０は、基本的には図１５に示した接続部材１１２と同様であるが、接続部材１５０自身がその中央部１５１において２つに折れるように構成されている点が異なる。それ以外の点については接続部材１１２と同様であるのでその説明は省略する。  【００７１】
図１８Ａおよび１８Ｂは戸当り部材１６０を示す図であり、先の実施の形態における図６Ａおよび６Ｂに示した戸当り部材５６に対応する。この実施の形態においては、戸当り部材１６０は接続部材１１２や１５０のように、ドアを構成する１枚のプラスチックダンボールを保持するＵ字状部材１１１のプラスチックダンボールを保持する側の反対側に設けられた接続部材受入部１１１ｄに保持される。【００７２】
次に、図１０から図１３で説明した接続具の他の例について説明する。図１９Ａから１９Ｄは接続具の他の例を示す図である。図１９Ａは端部保持材７３とこれによって保持されるプラスチックダンボール８０とを示し、図１９Ｂはこれらが接続された端部７４を示し、図１９Ｃは、端部保持材７３とプラスチックダンボール８０とが一体化された端部７４が保持されるＵ字状部材７５を示す図であり、図１９Ｄは、端部７４がＵ字状部材７５で保持された接続具７６を示す図である。ここでは、Ｕ字状部材７５の一方のみを示している。また、Ｕ字状部材７５の閉じた側はＵ字状ではなく、対向する辺とそれに交わる辺とは直交している。【００７３】
図１９Ａから１９Ｄを参照して、この接続具７６は、Ｕ字状部材７５でプラスチックダンボール８０の端部を保持するが、プラスチックダンボール８０の端部には端部保持材７３が設けられている点が先の実施の形態と異なる。すなわち、図１９Ａに示すように、まずプラスチックダンボール８０の端部にＵ字状の端部保持材７３を取付ける。端部保持材７３は、Ｕ字状の開口部端部に相互に対向するような突出部７３ａを有し、この突出部７３ａが図１３Ａで示したのと同様にプラスチックダンボール８０の表面から内部に食い込むように構成されている。突出部７３ａはプラスチックダンボール８０の面に直交する辺とそれに対して傾斜した辺を有する楔状であり、プラスチックダンボール８０の面に直交する辺は端部保持材７３のＵ字を構成する対向する辺に対しても直交している。  一方、Ｕ字状部材７５は図１０に示したように、Ｕ字状部の開口端部において相互に対向する側へ突出した突出部とを含み、突出部間に隙間が設けられ、この隙間に先端部が所定の形状を有する端部保持材７３に保持された１枚のプラスチックダンボール８０が挿入されるように形成されている。Ｕ字状部材７５はこの構成により、開口部は狭く、内部に端部保持材７３に保持された１枚のプラスチックダンボール８０の端部を保持する空間部を有する。【００７４】
なお、Ｕ字状部材７５の閉じた側はＵ字状であってもよいし、接続具７６は先の実施の形態で示したように、複数の部材から構成するようにしてもよい。【００７５】
図２０は、Ｕ字状部材７５によって保持されるプラスチックダンボール８０の端部に、図１９Ｂで示したような直交する角部を有する突出部を形成する他の例を示す図である。図２０Ａはプラスチックダンボール８０の端部において、その両側に設けられる突出部７７を示す図であり、図２０Ｂは、この突出部７７ａ，ｂがプラスチックダンボール８０の端部の両側に設けられた状態を示す図である。図２０Ａに示すように、突出部７７ａ，ｂはプラスチックダンボール８０に接続される側に針状、または、とげ状の突起部を有し、この突起部がプラスチックダンボール８０の表面に突き刺さるように構成されている。なお、この接続は、接着剤等で行ってもよい。【００７６】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００７７】
この発明に係る組立式個室は、広い空間を確保しながら、軽量であり、且つ、十分な強度を有しているため、全天候において使用ができ、且つ、車椅子の使用者であっても利用可能なため、組立式の個室として有利に使用される。
【図１Ａ】
2009084099.tif 000003
【図１Ｂ】
2009084099.tif 000004
【図２Ａ】
2009084099.tif 000005
【図２Ｂ】
2009084099.tif 000006
【図３Ａ】
2009084099.tif 000007
【図３Ｂ】
2009084099.tif 000008
【図４Ａ】
2009084099.tif 000009
【図４Ｂ】
2009084099.tif 000010
【図４Ｃ】
2009084099.tif 000011
【図５Ａ】
2009084099.tif 000012
【図５Ｂ】
2009084099.tif 000013
【図５Ｃ】
2009084099.tif 000014
【図６Ａ】
2009084099.tif 000015
【図６Ｂ】
2009084099.tif 000016
【図７Ａ】
2009084099.tif 000017
【図７Ｂ】
2009084099.tif 000018
【図８Ａ】
2009084099.tif 000019
【図８Ｂ】
2009084099.tif 000020
【図９Ａ】
2009084099.tif 000021
【図９Ｂ】
2009084099.tif 000022
【図９Ｃ】
2009084099.tif 000023
【図１０】
2009084099.tif 000024
【図１１Ａ】
2009084099.tif 000025
【図１１Ｂ】
2009084099.tif 000026
【図１１Ｃ】
2009084099.tif 000027
【図１２】
2009084099.tif 000028
【図１３Ａ】
2009084099.tif 000029
【図１３Ｂ】
2009084099.tif 000030
【図１３Ｃ】
2009084099.tif 000031
【図１３Ｄ】
2009084099.tif 000032
【図１３Ｅ】
2009084099.tif 000033
【図１４Ａ】
2009084099.tif 000034
【図１４Ｂ】
2009084099.tif 000035
【図１５Ａ】
2009084099.tif 000036
【図１５Ｂ】
2009084099.tif 000037
【図１５Ｃ】
2009084099.tif 000038
【図１５Ｄ】
2009084099.tif 000039
【図１６Ａ】
2009084099.tif 000040
【図１６Ｂ】
2009084099.tif 000041
【図１７Ａ】
2009084099.tif 000042
【図１７Ｂ】
2009084099.tif 000043
【図１８Ａ】
2009084099.tif 000044
【図１８Ｂ】
2009084099.tif 000045
【図１９Ａ】
2009084099.tif 000046
【図１９Ｂ】
2009084099.tif 000047
【図１９Ｃ】
2009084099.tif 000048
【図１９Ｄ】
2009084099.tif 000049
【図２０Ａ】
2009084099.tif 000050
【図２０Ｂ】
2009084099.tif 000051
【国際調査報告】
2009084099.tif 000052
2009084099.tif 000053
2009084099.tif 000054
2009084099.tif 000055
2009084099.tif 000056
2009084099.tif 000057